(57)【要約】      （修正有） 【課題】工事現場に設置される路上照明装置をより有効に使用できるようにスカート部を設けた路上照明装置を提供する。【解決手段】路上照明装置１０は、照明灯を備えた照明部１１と、上記照明部が先端部に固定され伸縮自在に形成されたアーム部１２と、上記照明部に対して電源を供給することができる電源部とを備える。上記照明部１１は、全体略筒状に形成され、上記照明灯の上方に配置される天板部１４と、上記天板部の周縁部に取り付けられ、照明灯の周囲を被覆できると共に広告表示部１６を有するスカート部１５とを備えた。【選択図】図１
0003177110.tif 000002
【実用新案登録請求の範囲】
【請求項１】
照明灯を備えた照明部と、上記照明部が先端部に固定され伸縮自在に形成されたアーム部と、上記照明部に対して電源を供給することができる電源部とを備え、
上記照明部は、全体略筒状に形成され、上記照明灯の上方に配置される天板部と、上記天板部の周縁部に取り付けられ、照明灯の周囲を被覆できると共に上記照明灯により内部から照射されることにより広告を表示しうる広告表示部を有するスカート部とを備えたことを特徴とする路上照明装置。
【請求項２】
縦長筒状に形成され、上記スカート部は、上記天板部に対して着脱可能に固定されることを特徴とする請求項１記載の路上照明装置。
【請求項３】
上記広告は、予めコンピュータにより作成された文字及び画像により形成されていることを特徴とする請求項２記載の路上証明装置。
【請求項４】
上記照明部は全体略円筒状に形成され、上記天板部は円盤状に形成され、周面状に配置される広告部を備えていることを特徴とする請求項３記載の路上照明装置。
【請求項５】
上記照明部は全体四角柱状に形成され、上記天板部は方形状に形成され、4つの広告表示部を備えていることを特徴とする請求項３記載の路上照明装置。
【考案の詳細な説明】
【技術分野】
【０００１】
本考案は、路上照明装置の改良に関する。
【背景技術】
【０００２】
従来より、図４に示すように、工事現場等において夜間の照明を行うために、発電機３１と、発電機３１に設けられ，直立するアーム３２の上端部に固定された照明灯（図示せず）と、照明灯の周囲に設けられたフレーム部（図示せず）と、フレーム部に取り付けらえれると共に上記照明灯を被覆して配置されたバルーン状のカバー部３３とを有する路上照明装置３０が使用されている（特許文献１参照）。
【０００３】
このような路上照明装置は、上記カバー部には「工事中」等の文字が表示された表示布３４が貼付され、通行人、車両に対して注意を喚起するように構成されていた。
しかしながら、このような従来の路上照明装置３０は、単に、照明装置としてのみ使用されており、より有効な使用の可能性が指摘されていた。
【特許文献１】実用新案登録第３１０２１０１号公報
【考案の開示】
【考案が解決しようとする課題】
【０００４】
本考案はこのような従来からの不具合を解決するためのものであって、その課題は、路上照明装置をより有効に使用できるようにすることにある。
【課題を解決するための手段】
【０００５】
上記課題達成のため請求項１記載の考案にあっては、照明灯を備えた照明部と、上記照明部が先端部に固定され伸縮自在に形成されたアーム部と、上記照明部に対して電源を供給することができる電源部とを備え、上記照明部は、全体略筒状に形成され、上記照明灯の上方に配置される天板部と、上記天板部の周縁部に取り付けられ、照明灯の周囲を被覆できると共に広告表示部を有するスカート部とを備えたことを特徴とする。
請求項１記載の考案にあっては、上記スカート部には広告表示部が設けられていることから、路上照明装置に所定の広告を表示することができる。
【０００６】
請求項２記載の考案にあっては、縦長筒状に形成され、上記スカート部は、上記天板部に対して着脱可能に固定されることを特徴とする。
従って、請求項２記載の考案にあっては、スカート部を交換することができる。
【０００７】
請求項３記載の考案にあっては、上記広告表示は、予めコンピュータにより作成された文字及び画像により形成されていることを特徴とする。
従って、請求項３記載の考案にあっては、コンピュータにより作成された文字及び画像を上記広告表示部に表示させることができる。
【０００８】
請求項４記載の考案にあっては、全体略円筒状に形成され、上記天板部は円盤状に形成され、周面状に配置される広告部を備えていることを特徴とする。従って、請求項４記載の考案にあっては、上記天板部に固定されるスカート部は円筒状に配置される。
【０００９】
請求項５記載の考案にあっては、全体四角柱状に形成され、上記天板部は方形状に形成され、４つの広告表示部を備えていることを特徴とする。従って、請求項５記載の考案にあっては、上記天板部に固定されるスカート部は４角柱状に配置される。
【考案の効果】
【００１０】
上記課題達成のため請求項１記載の考案にあっては、照明灯を備えた照明部と、上記照明部が先端部に固定され伸縮自在に形成されたアーム部と、上記照明部に対して電源を供給することができる電源部とを備え、上記照明部は、全体略筒状に形成され、上記照明灯の上方に配置される天板部と、上記天板部の周縁部に取り付けられ、照明灯の周囲を被覆できると共に広告表示部を有するスカート部とを備え、上記スカート部には広告表示部が設けられていることから、路上照明装置に所定の広告を表示することができ、路上照明装置を有効に利用して、夜間においても適宜の広告を行うことができる。
【００１１】
請求項２記載の考案にあっては、縦長筒状に形成され、上記スカート部は、上記天板部に対して着脱可能に固定され、スカート部を交換することができることから、予め複数種類の広告を表示したスカート部を準備しておき、例えば、長期に亘る工事の場合には、日数によりスカート部を交換することにより、適宜、設置場所の状況に合わせて有効な広告を行うことができる。
【００１２】
請求項３記載の考案にあっては、上記広告は、予めコンピュータにより作成された文字及び画像により形成されており、コンピュータにより作成された文字及び画像を上記広告表示部に表示させることができることから、例えば、非常に複雑な画像からなる広告を容易に作成して、広告として表示させることができる。
【００１３】
請求項４記載の考案にあっては、全体略円筒状に形成され、上記天板部は円盤状に形成されていることから、上記天板部に固定されるスカート部は円筒状に配置され、広告を、指向性を有することなく全方位に対して表示させることができる。
【００１４】
請求項５記載の考案にあっては、全体四角柱状に形成され、上記天板部は方形状に形成されていることから、４方向に対して広告を明確に表示することができる。
【図面の簡単な説明】
【００１５】
【図１】本考案に係る移動式照明装置の一実施の形態を示す斜視図である。
【図２】本考案に係る移動式照明装置の第二の実施の形態を示す斜視図である。
【図３】本考案に係る移動式照明装置の第三の実施の形態を示す斜視図である。
【図４】従来の路上照明装置を示す斜視図である。
【考案を実施するための最良の形態】
【００１６】
以下、添付図面に示す実施の形態に基づき、本考案を詳細に説明する。
図１に示すように、本考案に係る路上照明装置１０は、照明灯（図示せず）を備えた照明部１１と、上記照明部１１が先端部に固定され伸縮自在に形成されたアーム部１２と、上記照明部１１に対して電源を供給することができる電源部１３とを備えている。
【００１７】
本実施の形態にあっては、上記照明部１１は、全体略８角柱筒状に形成され、上記照明灯の上方に配置される天板部１４と、上記天板部１４の周縁部に取り付けられ、照明灯の周囲を被覆できると共に上記照明灯により内部から照射されることにより広告を表示しうる広告表示部１６を有するスカート部１５とを備えている。
【００１８】
上記照明部１１は、本実施の形態にあっては、縦長筒状に形成され、上記天板部１４は、合成樹脂製または金属製であって、平面８角形状に形成されており、天板部１４の周縁部には面ファスナーの一方固定部（図示せず）が設けられている。
【００１９】
また、上記スカート部１５は、照明灯により内部から照射された際には、光を透過しうる布製または、同様の性質を備えた可撓性を有する合成樹脂製であって、上端部には上記天板部１４の面ファスナーの一方固定部に係合する面ファスナーの他方固定部（図示せず）が設けられている。その結果、スカート部１５は、天板部１４に対して着脱可能に固定されている。
【００２０】
本実施の形態にあっては、上記広告表示部１６に形成される広告は、コンピュータにより作成された文字及び／又は画像２５により形成されている。
【００２１】
従って、本実施の形態に係る路上照明装置１０が、路上の工事現場等において使用された場合には、単に、工事現場等を照明するのみならず、照明灯によりスカート部１５が内部から照射されることにより、光が透過し、外表面に形成された広告表示部１６に表示された、文字及び／又は画像２５からなる広告を表示させることができる。その結果、工事現場に設置される路上照明装置１０を有効に利用して広告を行うことができる。
【００２２】
また、本実施の形態にあっては、上記広告を形成する文字及び／又は画像２５は、コンピュータにより作成されていることから、予め、複数種類の広告を其々印刷した複数のスカート部１５を作成して準備しておくことにより、路上照明装置１０の天板部１４に交換して取り付けることができるため、複数種類の広告を行うことができる。
【００２３】
図２は、本考案に係る路上照明装置の第二の実施の形態を示す。上記実施の形態と同一部材には同一符号を付して説明を省略する。
本実施の形態に係る路上照明装置１７の照明部２１は、全体略円筒状に形成され、上記天板部１８は円盤状に形成され、天板部１８の下方に周面状に配置されるスカート部２０の表面に形成される広告表示部１９を備えている。
また、前記実施の形態に係る路上照明装置１０とは異なり、スカート部２０の下端部には底板部２６が設けられている。
【００２４】
その結果、本実施の形態に係る路上照明装置１７にあっては、広告表示部１９は周面状に配置されることから、スカート部２０の周面の全方位に亘って広告が表示される。
従って、本実施の形態にあっては、照明部２１の全方位に対して死角なく広告を行うことができ、よりダイナミックな広告を行うことが可能となる。
【００２５】
図３は、本考案に係る路上照明装置の第三の実施の形態を示す。本実施の形態に係る路上照明装置２２にあっては、照明部２３は全体四角柱状に形成され、上記天板部は方形状に形成され、４つの広告表示部２４を備えており、広告表示部２４には、夫々、文字及び／又は画像２５が表示されている。
従って、本実施の形態に係る路上照明装置２２にあっては、照明部２３の４方向に対して明確に広告を行うことができる。
【産業上の利用可能性】
【００２６】
本考案は広く路上照明装置に使用することができるため産業上の利用可能性を有している。
【符号の説明】
【００２７】
１０  路上照明装置
１１  照明部
１２  アーム部
１３  電源部
１４  天板部
１５  スカート部
１６  広告表示部
１７  路上照明部
１８  天板部
１９  広告部
２０  スカート部
２１  照明部
２２  路上照明装置
２３  照明部
２４  広告表示部
２５  文字、画像
２６  底板部
３０  路上照明装置
３１  発電機
３２  アーム
３３  カバー部
【図１】
0003177110.tif 000003
【図２】
0003177110.tif 000004
【図３】
0003177110.tif 000005
【図４】
0003177110.tif 000006